(57)【要約】【課題】ベースに設けた吸気孔と前記後部熱交換器との間に通気穴およびこれを開閉する部材を備えた外気導入用のディフューザを容易に取り付けることにより、空気調和機の運転と同時に室内空気の換気を行なえる外気導入装置を備えた空気調和機を提供する。【解決手段】据付板２に連通孔２ａを、ベース６に吸気孔６ａを夫々設け、前記連通孔２ａの周縁に、ダクト１４の一端のダクトフランジ１５を取り付けると共に、前記吸気孔６ａと後部熱交換器１１との間に、一端に接続口２０を備え、他端に連通口２１を備えると共に、同連通口２１に係止爪２２を一体成形したディフューザ２３を設け、同ディフューザ２３に通気穴２４を設けると共に、同通気穴２４および、または前記接続口２０を開閉する開閉手段を設けた。【選択図】  図１
2004270985.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付けると共に、前記吸気孔と前記後部熱交換器との間に、一端に前記吸気孔に接続される接続口を備え、他端に同接続口よりも大径で形成された連通口を備え、前記ノズルおよび前記ダクトにより導入された外気を前記後部熱交換器へ導くディフューザを設け、同ディフューザに、前記吸込口を臨ませた通気穴を設けると共に、同通気穴および、または前記接続口を開閉する開閉手段を設けてなることを特徴とする空気調和機。
【請求項２】
前記開閉手段が、前記接続口を前記ディフューザの背面に沿ってスライドすることにより開閉する第一スライド板からなることを特徴とする請求項１に記載の空気調和機。
【請求項３】
前記開閉手段が、前記通気穴を前記ディフューザの上面に沿ってスライドすることにより開閉する第二スライド板からなることを特徴とする請求項１に記載の空気調和機。
【請求項４】
前記通気穴が、前記ディフューザの左右方向に断続的に複数形成される一方、前記第二スライド板に前記複数の通気穴に対応する開閉孔が複数形成されてなることを特徴とする請求項３に記載の空気調和機。
【請求項５】
前記開閉手段が、前記第一スライド板および前記第二スライド板を連結したスライド板からなることを特徴とする請求項２乃至請求項４の何れかに記載の空気調和機。
【請求項６】
前記第一スライド板、前記第二スライド板および、または前記スライド板に駆動装置が連係されてなることを特徴とする請求項２乃至請求項５の何れかに記載の空気調和機。
【請求項７】
前記開閉手段が、前記接続口に対応して前記ディフューザの背面に沿うように回動自在に軸支された第一回動板からなることを特徴とする請求項１に記載の空気調和機。
【請求項８】
前記開閉手段が、前記通気穴に対応して前記ディフューザの上面に回動自在に軸支された第二回動板からなることを特徴とする請求項１に記載の空気調和機。
【請求項９】
前記第二回動板が複数設けられると共に、これら複数の第二回動板が連結部材により連結されてなることを特徴とする請求項８に記載の空気調和機。
【請求項１０】
前記複数の第二回動板により前記通気穴を開閉した際、前記連結部材の一端または他端が、前記ディフューザの一側面または他側面に当接して前記第二回動板の回動範囲を規制するようにしてなることを特徴とする請求項９に記載の空気調和機。
【請求項１１】
前記第一回動板および、または前記第二回動板に駆動装置が連係されてなることを特徴とする請求項７乃至請求項１０の何れかに記載の空気調和機。
【請求項１２】
前記開閉手段が、前記接続口に対応する透孔を備え、前記ディフューザの背面にベルト車により巻上自在に巻架された開閉スクリーンからなることを特徴とする請求項１に記載の空気調和機。
【請求項１３】
前記開閉手段が、前記通気穴に対応する透孔を備え、前記ディフューザの上面にベルト車により巻上自在に巻架された開閉スクリーンからなることを特徴とする請求項１に記載の空気調和機。
【請求項１４】
前記ベルト車が、前記通気穴に対応して前記開閉ベルトを巻架するように配置されてなることを特徴とする請求項１３または請求項１４に記載の空気調和機。
【請求項１５】
前記ベルト車が、前記通気穴の一側部に前記開閉ベルトの一端を巻き上げるように設けられる一方、他側部に前記開閉ベルトの他端を伸縮自在に支持する支持部材が設けられてなることを特徴とする請求項１２または請求項１３に記載の空気調和機。
【請求項１６】
前記ベルト車に駆動装置が連係されてなることを特徴とする請求項１２乃至請求項１５の何れかに記載の空気調和機。
【請求項１７】
前記開閉手段が、前記通気穴の後端部に回動自在に軸支された開閉板からなり、上方に回動することにより前記通気穴が閉塞される一方、下方に回動することにより前記通気穴が開放されると共に、前記接続口が全閉または半閉されるようにしてなることを特徴とする請求項１に記載の空気調和機。
【請求項１８】
前記開閉板に駆動装置が連係されてなることを特徴とする請求項１７に記載の空気調和機。
【請求項１９】
前記開閉手段が、前記接続口に回動自在に支持された開閉用の弁体からなり、同弁体が前記送風ファンの負圧により揺動して前記接続口が開放されるようにしてなることを特徴とする請求項１に記載の空気調和機。
【発明の詳細な説明】
【０００１】
【発明の属する技術分野】
本発明は、空気調和機に係わり、より詳細には、ベースに設けた吸気孔と後部熱交換器との間に通気穴およびこれを開閉する部材を備えた外気導入用のディフューザを容易に取り付けることにより、空気調和機の運転と同時に室内空気の換気を行なえる外気導入装置を備えた構造に関する。
【０００２】
【従来の技術】
従来の外気導入装置を備えた空気調和機には、作業性が良好なダクトの取付構造によって熱交換器の風上側に外気を導入できるものとして、被空調室の壁面に壁孔を設け、据付板に前記壁孔に対応する連通孔を設け、後部熱交換器の風上側となるベースの背面に、前記連通孔に対応する吸気孔を設け、ねじ孔を備えた前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を介装したものがあった（例えば、特許文献１参照。）。
【０００３】
しかしながら、上記構成でなる空気調和機は、外気を導入するダクトの開口端にフィルタを直付けしており、また、外気を導入するに当って送風ファンの負圧を利用した構成であることから、前記フィルタの抵抗により空気抵抗が増して外気の吸込量に影響を与えてしまったり、また、送風ファンの負圧を利用しているため外気の吸込量が減少してしまう恐れがあった。
【０００４】
また、外気の吸込量を減少させないようにすると共に、前記ベースの吸気孔と前記後部熱交換器との間に、通気穴およびこれを開閉する部材を備えた通風性能を高めるためのディフューザを容易に、且つ正確に取り付けることができる外気導入装置を備えた空気調和機の出現が望まれていた。
【０００５】
【特許文献１】
特開２００３−２１３５８号公報（第３頁、第４図）
【０００６】
【発明が解決しようとする課題】
本発明においては、上記の問題点に鑑み、ベースに設けた吸気孔と前記後部熱交換器との間に通気穴およびこれを開閉する部材を備えた外気導入用のディフューザを容易に取り付けることにより、空気調和機の運転と同時に室内空気の換気を行なえる外気導入装置を備えた空気調和機を提供することを目的とする。
【０００７】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付けると共に、前記吸気孔と前記後部熱交換器との間に、一端に前記吸気孔に接続される接続口を備え、他端に同接続口よりも大径で形成された連通口を備え、前記ノズルおよび前記ダクトにより導入された外気を前記後部熱交換器へ導くディフューザを設け、同ディフューザに、前記吸込口を臨ませた通気穴を設けると共に、同通気穴および、または前記接続口を開閉する開閉手段を設けてなる構成となっている。
【０００８】
また、前記開閉手段が、前記接続口を前記ディフューザの背面に沿ってスライドすることにより開閉する第一スライド板からなる構成となっている。
【０００９】
また、前記開閉手段が、前記通気穴を前記ディフューザの上面に沿ってスライドすることにより開閉する第二スライド板からなる構成となっている。
【００１０】
また、前記通気穴が、前記ディフューザの左右方向に断続的に複数形成される一方、前記第二スライド板に前記複数の通気穴に対応する開閉孔が複数形成されてなる構成となっている。
【００１１】
また、前記開閉手段が、前記第一スライド板および前記第二スライド板を連結したスライド板からなる構成となっている。
【００１２】
また、前記第一スライド板、前記第二スライド板および、または前記スライド板に駆動装置が連係されてなる構成となっている。
【００１３】
また、前記開閉手段が、前記接続口に対応して前記ディフューザの背面に沿うように回動自在に軸支された第一回動板からなる構成となっている。
【００１４】
また、前記開閉手段が、前記通気穴に対応して前記ディフューザの上面に回動自在に軸支された第二回動板からなる構成となっている。
【００１５】
また、前記第二回動板が複数設けられると共に、これら複数の第二回動板が連結部材により連結されてなる構成となっている。
【００１６】
また、前記複数の第二回動板により前記通気穴を開閉した際、前記連結部材の一端または他端が、前記ディフューザの一側面または他側面に当接して前記第二回動板の回動範囲を規制するようにしてなる構成となっている。
【００１７】
また、前記第一回動板および、または前記第二回動板に駆動装置が連係されてなる構成となっている。
【００１８】
また、前記開閉手段が、前記接続口に対応する透孔を備え、前記ディフューザの背面にベルト車により巻上自在に巻架された開閉ベルトからなる構成となっている。
【００１９】
また、前記開閉手段が、前記通気穴に対応する透孔を備え、前記ディフューザの上面にベルト車により巻上自在に巻架された開閉ベルトからなる構成となっている。
【００２０】
また、前記ベルト車が、前記通気穴に対応して前記開閉ベルトを巻架するように配置されてなる構成となっている。
【００２１】
また、前記ベルト車が、前記通気穴の一側部に前記開閉ベルトの一端を巻き上げるように設けられる一方、他側部に前記開閉ベルトの他端を伸縮自在に支持する支持部材が設けられてなる構成となっている。
【００２２】
また、前記ベルト車に駆動装置が連係されてなる構成となっている。
【００２３】
また、前記開閉手段が、前記通気穴の後端部に回動自在に軸支された開閉板からなり、上方に回動することにより前記通気穴が閉塞される一方、下方に回動することにより前記通気穴が開放されると共に、前記接続口が全閉または半閉されるようにしてなる構成となっている。
【００２４】
また、前記開閉板に駆動装置が連係されてなる構成となっている。
【００２５】
更に、前記開閉手段が、前記接続口に回動自在に支持された開閉用の弁体からなり、同弁体が前記送風ファンの負圧により揺動して前記接続口が開放されるようにしてなる構成となっている。
【００２６】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は斜視図、（Ｂ）はディフューザ背面の接続口を開放した状態を示す図、（Ｃ）は接続口を第一スライド板で閉塞した状態を示す図であり、図３は本発明による空気調和機の要部説明図で、（Ａ）はディフューザ上面の通気穴を示す図、（Ｂ）は通気穴を第二スライド板で開閉する状態を示す図、（Ｃ）は通気穴を開閉する第二スライド板を着脱する状態を示す図であり、図４は第一スライド板および第二スライド板を連結した状態を示す断面図であり、図５はディフューザ背面の接続口を第一回動板で開閉する状態を示す説明図で、（Ａ）は接続口を閉塞した状態を示す図、（Ｂ）は接続口を開放した状態を示す図であり、図６はディフューザ上面の通気穴を第二回動板で開閉する状態を示す説明図で、（Ａ）は通気穴を閉塞した状態を示す図、（Ｂ）は通気穴を開放した状態を示す図、（Ｃ）は第二回動板の側面図、（Ｄ）は第二回動板の斜視図であり、図７はディフューザの斜視図であり、図８はディフューザ背面の接続口および、またはディフューザ上面の通気穴を開閉ベルトで開閉する一例を示す説明図で、（Ａ）は開放した状態を示す正面図、（Ｂ）は開放した状態を示す側面図、（Ｃ）は閉塞した状態を示す正面図、（Ｄ）は閉塞した状態を示す側面図であり、図９はディフューザ背面の接続口および、またはディフューザ上面の通気穴を開閉ベルトで開閉する他の例を示す説明図で、（Ａ）は閉塞した状態を示す正面図、（Ｂ）は閉塞した状態を示す側面図、（Ｃ）は開放した状態を示す正面図、（Ｄ）は開放した状態を示す側面図であり、図１０はディフューザ上面の通気穴および、またはディフューザ背面の接続口を開閉板で開閉する説明図で、（Ａ）は通気穴を閉塞し接続口を開放した状態を示す断面図、（Ｂ）は通気穴を開放し接続口を半開した状態を示す断面図であり、図１１はディフューザ背面の接続口を弁体で開閉する説明図で、（Ａ）は接続口を閉塞した状態を示す断面図、（Ｂ）は接続口を開放した状態を示す断面図である。
【００２７】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００２８】
前記本体Ａは、背面上部に前記据付板２の係止爪１に係脱可能に係止される係止部３を備え、背面下部には接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００２９】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部を備えたダクトフランジ１５がねじ締めされることによって取り付けられている。
【００３０】
同時に、前記据付板２および前記ベース６の間には、前記連通孔２ａおよび前記吸気孔６ａを連通した状態でシールするシール部材１６が介装されるように構成されている。
【００３１】
また、前記ダクト１４の他端には、開口面積を拡開させる拡開部１７を備えたノズル１８が設けられ、同ノズル１８の開口部には集塵用のフィルタ１９が設けられ、前記吸気孔６ａと前記後部熱交換器１１との間には、一端に前記吸気孔６ａに接続される接続口２０を備え、他端に同接続口２０よりも大径で形成された連通口２１を備えると共に、同連通口２１には前記後部熱交換器１１の伝熱管１１ａ  に係止する係止爪２２を一体に形成したディフューザ２３が設けられた構成になっている。
【００３２】
前記係止爪２２は、図１（Ａ）および図１（Ｂ）と、図２（Ａ）とで示すように、前記後部熱交換器１１に対し前記ディフューザ２３を上方から組み付けて前記伝熱管１１ａ  に係止されるように形成されているので、前記ベース６に設けた吸気孔６ａと前記後部熱交換器１１との間に、外気導入用の前記ディフューザ２３を容易に、且つ正確に取り付けることができるようになっている。
【００３３】
これにより、前記ノズル１８から外気を導入する際、同ノズル１８の開口部に前記フィルタ１９が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００３４】
また、前記ノズル１８が前記拡開部１７を備えることによって開口面積が拡開されたことにより、該箇所に図示しない補助ファンを取り付けやすくした構造になっているので、前記送風ファン１３による外気導入のための負圧が不足している場合には補助ファンを容易に取付できるので便利である。
【００３５】
そして、前記ディフューザ２３には、その上面２３ｂ  に前記吸込口７を臨ませた通気穴２４を設けると共に、同通気穴２４および、または前記接続口２０を開閉するための開閉手段を設けてなる構成となっている。
【００３６】
これによって、前記開閉手段により前記通気穴２４を開放した際、前記吸込口７から吸い込まれた室内空気の一部を、前記通気穴２４から前記ディフューザ２３に導入したのち効率よく前記後部熱交換器１１に導出できるようになり、また、前記接続口２０を開放した際、前記ノズル１８から前記ダクト１４を経て前記ディフューザ２３に導入した外気を前記後部熱交換器１１に導出できるようになって、空気調和機の運転と同時に、室内空気の換気を行なえるようにした外気導入装置を構成できるようになっている。
【００３７】
以上の構成により、次にその動作について説明する。
前記ディフューザ２３の背面２３ａ  に設けられ、前記ダクト１４に接続される前記接続口２０を開閉するための開閉手段が、図２（Ａ）乃至図２（Ｃ）で示すように、前記接続口２０を前記ディフューザ２３の背面に沿ってスライドすることにより開閉する第一スライド板２５からなる構成にすることによって、空気調和機の運転と同時に室内空気の換気を行なう場合には、図２（Ｂ）で示すように前記接続口２０を開放して、前記ノズル１８から前記ダクト１４を経て前記ディフューザ２３に外気を導入できるようにし、室内空気の換気を行なわない場合には、図２（Ｃ）で示すように前記接続口２０を閉塞すればよい。
【００３８】
なお、前記第一スライド板２５には、例えばステッピングモータからなる駆動装置ａが連係されることにより、換気運転の必要性に応じて前記接続口２０を自動的に開閉できるようになる。
【００３９】
また、前記ディフューザ２３の上面２３ｂ  に設けられ、前記吸込口７を臨ませた前記通気穴２４を開閉するための開閉手段が、図３（Ａ）乃至図３（Ｃ）で示すように、前記通気穴２４を前記ディフューザ２３の上面２３ｂ  に沿ってスライドすることにより開閉する開閉孔２７を備えた第二スライド板２６からなる構成にすることによって、図２（Ｂ）の実線で示すように、前記開閉孔２７の位置をずらすことにより前記通気穴２４を閉塞する一方、破線で示すようにスライドさせて前記通気穴２４に前記開閉孔２７を連通させることにより、前記吸込口７から吸い込まれた室内空気の一部を前記ディフューザ２３に導入できるようにしている。
【００４０】
なお、前記通気穴２４は、前記ディフューザの左右方向に断続的に複数形成される一方、前記複数の通気穴に対応して、前記第二スライド板には前記開閉孔が複数形成されているので、前記通気穴２４を開放した際、同通気穴２４から吸い込まれた室内空気が前記後部熱交換器１１の左右方向に対し均等に分布して導出されるようになる。
【００４１】
また、前記第二スライド板２６は、例えばステッピングモータからなる駆動装置ａが連係されることによって自動的にスライドさせることができるので、必要に応じて前記通気穴２４を正確に開閉できるようになり、また着脱時には、例えば図３（Ｃ）で示すように前記ディフューザ２３の上面２３ｂ  の側部から装着したり取り外すようにすればよい。
【００４２】
また、前記接続口２０および前記通気穴２４を開閉するための開閉手段が、図４で示すように、前記第一スライド板２５および前記第二スライド板２６を連結して断面Ｌ字状に形成されたスライド板２８からなる構成にし、同スライド板２８に駆動装置ａを連係させることにより、前記接続口２０および前記通気穴２４を同時に開閉できるようにしてもよい。
【００４３】
また、前記接続口２０を開閉するための開閉手段が、図５（Ａ）および図５（Ｂ）で示すように、同接続口２０に対応して前記ディフューザ２３の背面２３ａ  に沿うように支軸部２９ａ  によって回動自在に軸支され、駆動装置ａを連係させた第一回動板２９からなる構成にしてもよい。
【００４４】
その場合、前記第一回動板２９を回動させることによって前記接続口２０を開放した際、図５（Ｂ）で示すように、前記第一回動板２９の一部２９ｂ  が前記ディフューザ２３の背面２３ａ  からはみ出してしまったり、前記接続口２０に突出してしまったりしないよう該箇所２９ｂ  を切除しておけばよい。
【００４５】
または、前記通気穴２４を開閉するための開閉手段が、図６（Ａ）乃至図６（Ｄ）で示すように、同通気穴２４に対応して前記ディフューザ２３の上面２３ｂ  に支軸部３０ａ  により回動自在に軸支された第二回動板３０からなる構成にしてもよい。
【００４６】
この場合、前記第二回動板３０が、これに連続形成された連結片３１片を有して複数設けられると共に、これら複数の第二回動板３０が、前記連結片３１片および前記連結部３１ａ  を介した前記連結部材３２で連結された構成にすることにより、図７で示すように、とくに前記ディフューザ２３の上面２３ｂ  の左右方向に大きく形成された前記通気穴２４を開閉できるようになるので、前記吸込口７から吸い込まれた室内空気の一部が、前記通気穴２４を効率よく流通して前記ディフューザ２３から前記後部熱交換器１１に効果的に導出されるようになる。
【００４７】
また、前記複数の第二回動板３０により前記通気穴２４を開閉した際、図６（Ａ）および図６（Ｂ）のｂ部およびｃ部で示すように、前記連結部材３２の一端または他端が、前記ディフューザ２３の一側面２３ｃ  または他側面２３ｃ  に当接して前記第二回動板３０の回動範囲を規制するようになっているので、前記第二回動板３０を位置決めさせることができて前記通気穴２４を正確に開閉できるようになっている。
【００４８】
なお、前記第二回動板３０は、前記第一回動板２９と同様に駆動装置ａが連係されて自動的に回動できるようになっており、また、図６（Ｃ）および図６（Ｄ）で示すように、前記支軸部３０ａ  を構成する支軸３０ａ’と、前記連結部３１ａ  を構成する支軸孔３１ａ’を備えて回動自在に軸支され、且つ前記連結部材３２により連動自在に連結されるようになっている。
【００４９】
また、前記接続口２０を開閉する開閉手段が、図８（Ａ）乃至図８（Ｄ）で示すように、同接続口２０に対応する透孔３３を備え、前記ディフューザ２３の背面に駆動装置ｂが連係されたベルト車３４により巻上自在に巻架された開閉ベルト３５からなる構成にしてもよい。
【００５０】
また同様に、前記通気穴２４を開閉する開閉手段が、同通気穴２４に対応する透孔３３を備え、前記ディフューザ２３の背面に駆動装置ｂが連係されたベルト車３４により巻上自在に巻架された開閉ベルト３５からなる構成にしてもよい。
【００５１】
また、前記ベルト車３４が、前記接続口２０に対応して前記開閉ベルト３５を巻架するように対をなして配置され、または、前記通気穴２４に対応して前記開閉ベルト３５を巻架するように対をなして配置されている。
【００５２】
これにより、前記通気穴２４または前記接続口２０を開放する際、図８（Ａ）および図８（Ｂ）で示すＡ部のように、これら通気穴２４または接続口２０に前記透孔３３を連通させることによって、該箇所を開放して矢印Ｂで示すように空気流が流通できるようになる一方、前記通気穴２４または前記接続口２０を閉塞する際、図８（Ｃ）および図８（Ｄ）で示すＡ’部のように、前記ベルト車３４で前記開閉ベルト３５の透孔３３を前記ベルト車３４の位置に巻き上げることにより、同開閉ベルト３５で閉塞できるようになる。
【００５３】
または、図９（Ａ）乃至図９（Ｄ）で示すように、駆動装置ｂが連係された前記ベルト車３４が、前記通気穴２４または前記接続口２０の一側部Ｂに前記開閉ベルト３５の一端を巻き上げるように設けられる一方、他側部Ｃに、前記開閉ベルト３５の他端を伸縮自在に支持するためのばね３６からなる支持部材が設けられるようにしてもよい。
【００５４】
これにより、図９（Ａ）および図９（Ｂ）で示す状態で、前記開閉ベルト３５により前記通気穴２４または前記接続口２０を閉塞できるようになり、また、図９（Ｃ）および図９（Ｄ）で示す状態に前記開閉ベルト３５の一端から巻き上げることにより開放できるようになる。
【００５５】
前記通気穴２４および前記接続口２０を開閉する開閉手段が、図１０（Ａ）および図１０（Ｂ）で示すように、前記通気穴２４の後端部に支軸３７ａ  により回動自在に軸支され、駆動装置ｃが連係された開閉板３７からなり、上方に回動することにより前記通気穴２４が閉塞される一方、下方に回動することにより前記通気穴２４が開放されると共に、前記接続口２０が全閉または半閉されるようにしてもよい。
【００５６】
また、前記接続口２０を開閉する開閉手段が、図１１（Ａ）および図１１（Ｂ）で示すように、前記接続口２０に支軸３９により回動自在に支持された開閉用の弁体３８からなり、同弁体３８が前記送風ファン１３の負圧により揺動して前記接続口２０が開放されるようにしてもよい。
【００５７】
【発明の効果】
以上説明したように、本発明によれば、ベースに設けた吸気孔と前記後部熱交換器との間に通気穴およびこれを開閉する部材を備えた外気導入用のディフューザを容易に取り付けることにより、空気調和機の運転と同時に室内空気の換気を行なえる外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）は斜視図であり、（Ｂ）はディフューザ背面の接続口を開放した状態を示す図であり、（Ｃ）は接続口を第一スライド板で閉塞した状態を示す図である。
【図３】本発明による空気調和機の要部説明図で、（Ａ）はディフューザ上面の通気穴を示す図であり、（Ｂ）は通気穴を第二スライド板で開閉する状態を示す図であり、（Ｃ）は通気穴を開閉する第二スライド板を着脱する状態を示す図である。
【図４】本発明による空気調和機の第一スライド板および第二スライド板を連結した状態を示す断面図である。
【図５】ディフューザ背面の接続口を第一回動板で開閉する状態を示す説明図で、（Ａ）は接続口を閉塞した状態を示す図であり、（Ｂ）は接続口を開放した状態を示す図である。
【図６】ディフューザ上面の通気穴を第二回動板で開閉する状態を示す説明図で、（Ａ）は通気穴を閉塞した状態を示す図であり、（Ｂ）は通気穴を開放した状態を示す図であり、（Ｃ）は第二回動板の側面図であり、（Ｄ）は第二回動板の斜視図である。
【図７】本発明による空気調和機のディフューザの斜視図である。
【図８】ディフューザ背面の接続口および、またはディフューザ上面の通気穴を開閉ベルトで開閉する一例を示す説明図で、（Ａ）は開放した状態を示す正面図であり、（Ｂ）は開放した状態を示す側面図であり、（Ｃ）は閉塞した状態を示す正面図であり、（Ｄ）は閉塞した状態を示す側面図である。
【図９】ディフューザ背面の接続口および、またはディフューザ上面の通気穴を開閉ベルトで開閉する他の例を示す説明図で、（Ａ）は閉塞した状態を示す正面図であり、（Ｂ）は閉塞した状態を示す側面図であり、（Ｃ）は開放した状態を示す正面図であり、（Ｄ）は開放した状態を示す側面図である。
【図１０】ディフューザ上面の通気穴および、またはディフューザ背面の接続口を開閉板で開閉する説明図で、（Ａ）は通気穴を閉塞し接続口を開放した状態を示す断面図であり、（Ｂ）は通気穴を開放し接続口を半開した状態を示す断面図である。
【図１１】ディフューザ背面の接続口を弁体で開閉する説明図で、（Ａ）は接続口を閉塞した状態を示す断面図であり、（Ｂ）は接続口を開放した状態を示す断面図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２３ａ  背面
２３ｂ  上面
２３ｃ  側面
２３ｄ  底面
２４  通気穴
２５  第一スライド板
２６  第二スライド板
２７  開閉孔
２８  スライド板
２９  第一回動板
３０  第二回動板
３０ａ  支軸部
３０ａ’  支軸
３１  連結片
３１ａ  連結部
３１ａ’  支軸孔
３２  連結部材
３３  透孔
３４  ベルト車
３５  開閉ベルト
３６  ばね（支持部材）
３７  開閉板
３７ａ  支軸
３８  弁体
３９  支軸
Ａ  本体
Ｂ  壁面
Ｃ  壁孔
ａ，ｂ，ｃ  駆動装置
【図１】
2004270985.tif 000003
【図２】
2004270985.tif 000004
【図３】
2004270985.tif 000005
【図４】
2004270985.tif 000006
【図５】
2004270985.tif 000007
【図６】
2004270985.tif 000008
【図７】
2004270985.tif 000009
【図８】
2004270985.tif 000010
【図９】
2004270985.tif 000011
【図１０】
2004270985.tif 000012
【図１１】
2004270985.tif 000013